(57)【要約】【課題】カーペット、軽量の置物、家具等を床面などに固定し、その後に剥離した場合にも、床面などに粘着剤残りがなく、かつ安価であって使い易い滑り止めマットを提供すること。【解決手段】発泡樹脂シートの少なくとも一方の面に、表面に多数の凹部を有する吸着性シートが上記凹部を有する面を外側にして積層されていることを特徴とする滑り止めマット。【選択図】図１
0003111513.tif 000002
【実用新案登録請求の範囲】
【請求項１】
発泡樹脂シートの少なくとも一方の面に、表面に多数の凹部を有する吸着性シートが上記凹部を有する面を外側にして積層されていることを特徴とする滑り止めマット。
【請求項２】
吸着性シートの表面に、剥離可能なプラスチックシートからなる保護層が形成されている請求項１に記載の滑り止めマット。
【請求項３】
吸着性シートが、軟質プラスチックシートからなる請求項１に記載の滑り止めマット。
【考案の詳細な説明】
【技術分野】
【０００１】
本考案は、各種物品の滑り止めマットに関し、例えば、地震などの揺れに対して物品がずれたり倒れたりすることが防止できる滑り止めマットに関する。該滑り止めマットは、地震の際の耐震マットとして有用であるとともに、カーペット、置物、家具などの滑り止め材としても有用である。
【背景技術】
【０００２】
従来、床に敷設するカーペットなどの敷物、テーブル、椅子などをカバーするカバー材は、使用中にずれて変形することが多い。このような課題を解決する方法として、従来両面粘着シートなどが使用されている。これらの両面粘着シートは、該シートを剥がしたときに床面などに粘着剤が残り、該粘着剤が汚れの原因となる場合が多い。
【０００３】
また、近年では、地震による揺れで家具が移動したり、倒壊したりすることを防止する目的で、耐震マットが広く使用されるようになっている。これらの耐震マットは、両面が粘着性であるエラストマーからなる成形体であって、家具などの置物の底面と床面との間に介在させて、振動や揺れなどにより家具などの移動や倒壊を防止するものである。これらの耐震マットは、重量物の振動による移動や倒壊を防ぐ目的であることから、中実なエラストマーから形成され、非常に高価であり、軽量の置物や家具の滑り止めには不向きである（特許文献１参照）。
【特許文献１】特開平１１−３３２７２６号公報
【考案の開示】
【考案が解決しようとする課題】
【０００４】
従って本考案の目的は、カーペット、軽量の置物、家具などを床面などに固定し、その後に剥離した場合にも、床面などに粘着剤残りがなく、かつ安価であって使い易い滑り止めマットを提供することである。
【課題を解決するための手段】
【０００５】
上記目的は以下の本考案によって達成される。すなわち、本考案は、発泡樹脂シートの少なくとも一方の面に、表面に多数の凹部を有する吸着性シートが上記凹部を有する面を外側にして積層されていることを特徴とする滑り止めマットを提供する。
【考案の効果】
【０００６】
本考案によれば、カーペットなどの敷物、軽量の置物、家具などを床面などに固定し、その後に剥離した場合にも、床面などに粘着剤残りがなく、かつ安価であって使い易い滑り止めマットを提供することができる。当該滑り止めマットは、特に軽量の置物や家具の耐震マットとして有用である。
【考案を実施するための最良の形態】
【０００７】
次に考案を実施するための最良の形態を挙げて本考案をさらに詳しく説明する。
本考案の滑り止めマットの１実施例を図１を参照して説明する。図１（ａ）は、本考案の全体斜視図であり、図１（ｂ）は、一部拡大断面図である。図１に示す本考案の滑り止めマットは、発泡樹脂シート１の一方の面に、表面に多数の凹部を有する吸着性シート２が上記凹部を有する面を外側にして積層されていることを特徴としている。符号３は必要に応じて設けてもよい上記吸着性シート２の保護層である。
【０００８】
上記発泡樹脂シートとしては、例えば、発泡ポリエチレン、発泡ポリプロピレン、発泡ポリウレタン、発泡ポリ塩化ビニルなどが挙げられ、ある程度の弾性と表面粗度を有するものであれば発泡倍率は特に限定されないが、例えば、発泡倍率が２〜２０倍程度の発泡樹脂シートが好適であり、そのサイズは特に限定されないが、外周は２ｃｍ×５ｃｍで厚みは２〜１０ｍｍ程度である。
【０００９】
本考案の特徴は、上記発泡樹脂シートの一方の面に、表面に多数の凹部を有する吸着性シート（以下単に「吸着シート」という）を該凹部を外側に向けて貼着した点にある。当該吸着シートの構成を図２を用いて説明する。上記吸着シートは、軟質塩化ビニル樹脂、軟質シリコン樹脂、各種エラストマーからなるシートの表面に１０〜１００μｍ程度の径の凹部４が多数形成されたものであって、該凹部４を有する面を平滑な面に押圧密着させると、凹部の吸盤作用により上記平割面に密着するものである。このような吸着シートは市場から入手して本考案で使用することができる。上記吸着シートの厚みは０．５〜２ｍｍ程度である。
【００１０】
図１に示す本考案の滑り止めマットは、前記発泡樹脂シート１の一方の表面に上記の吸着シート２を凹部４を外側に向けて粘着剤や接着剤或いは融着により接合させることにより得られる。上記吸着シート２の表面には、該吸着シート２の表面を保護する目的でポリエステル、ポリエチレン、ポリプロピレンなどのプラスチックシートを剥離可能に積層しておくことが好ましい。上記保護層３の積層は、上記吸着シートの吸盤作用により粘着剤などを使用することなく行なうことができ、本考案の滑り止めマットの使用時に剥離する。
【００１１】
図３（ａ）、（ｂ）に示す例は、前記発泡樹脂シート１の両面に、それぞれ吸着シート２と保護層３とを積層したものである。ここで使用する発泡樹脂シート１、吸着シート２および保護層３はそれぞれ図１および図２に示す場合と同様である。
【００１２】
次に本考案の図１に示した滑り止めマットの使用の状態を説明する。本考案の滑り止めマットを使用して物品を床や収納庫に収納する場合には、物品の底面および床面（または収納庫の棚面など）のいずれか一方が平滑であることが必要である。物品の底面が平滑である場合には、その平面に吸着シートの面を対向させて密着させることにより、物品の底面に滑り止めマットを貼着する。この状態で解放されている発泡樹脂シートの面が設置面に対向しており、発泡樹脂シートの表面が粗面であることと、物品の重量とによって発泡樹脂シートと設置面との摩擦係数が大となって、多少の振動が加えられても、物品が移動したり転倒したりする可能性が低減する。なお、設置面が平滑面で物品底面が粗面である場合は上記と逆になる。
【００１３】
図３に示した本考案の滑り止めマットの使用の状態を説明する。本考案の滑り止めマットを使用して物品を床や収納庫に収納する場合には、物品の底面および床面（または収納庫の棚面）の両方の面がいずれも平滑面であることが好ましい。すなわち、底面が平滑である物品の底面に一方の吸着シートの面を対向させて密着させ、この状態で物品を平滑な床面などに設置することにより、吸着シートの吸盤作用により、物品は床面に強力に固定され、多少の振動が加えられても、物品が移動したり転倒したりする可能性が顕著に低減する。
【産業上の利用可能性】
【００１４】
本考案によれば、本考案の滑り止めマットの物品や床面などに対する密着は、粘着剤などによって行なわれるものではなく、吸着シートの吸盤作用によることから、カーペットなどの敷物、軽量の置物、家具などを床面などに固定し、その後に剥離した場合にも、床面などに粘着剤残りがなく、剥離後の床面などを汚染することがない。また、発泡性樹脂シートを用いていることから、軽量でありかつ安価であって、特に軽量の置物や家具の耐震マットとして有用である。
【図面の簡単な説明】
【００１５】
【図１】本考案の滑り止めマットの１実施例の全体構造（ａ）および断面（ｂ）を説明する図。
【図２】吸着シートを説明する図。
【図３】本考案の滑り止めマットの他の実施例の全体構造（ａ）および断面（ｂ）を説明する図。
【符号の説明】
【００１６】
１：発泡樹脂シート
２：吸着シート
３：保護層
４：凹部
【図１】
0003111513.tif 000003
【図２】
0003111513.tif 000004
【図３】
0003111513.tif 000005